(57)【要約】【課題】  患者からの不急の呼び出しを実現しつつ、患者からの不急の呼び出しが放置されないようにすることを目的とする。【解決手段】  ついで呼び出し操作部４が操作された場合に、表示による報知を行う報知部１５の近傍にＩＣタグリーダー１４を搭載し、医療従事者が携帯するＩＣタグ９がＩＣタグリーダー１４によって読み取られたときに、報知部１５から呼び出し音を出力するようにしている。これにより、不急の呼び出しによる表示が行われた状態で、ＩＣタグ９を携帯した医療従事者が報知部１５に近付くと報知部１５から呼び出し音が出力されるので、医療従事者が患者からの不急の呼び出しに気付き不急の呼び出しを行った患者を放置することがなくなる。また、医療従事者がナースコール親機１０に近付いた場合のみ呼び出し音を鳴らすので、それ以外の医療従事者は他の業務に集中することができる。【選択図】        図１
2008092056.tif 000002
【特許請求の範囲】
【請求項１】
患者による操作によって医療従事者を不急に呼び出すためのついで呼び出し操作部と、前記ついで呼び出し操作部の操作によってついで呼び出し信号を生成する子機用制御部と、前記子機用制御部によって生成されたついで呼び出し信号を外部に出力する子機用インターフェースとを備えたナースコール子機と、
前記ついで呼び出し信号を入力する親機用インターフェースと、前記親機用インターフェースが前記ついで呼び出し信号を入力したか否かを判定する呼び出し信号判定部と、呼び出しを表示および音声にて報知する報知部と、医療従事者が携帯する識別手段の近接を検知する識別手段検知部と、前記親機用インターフェースがついで呼び出し信号を入力したと呼び出し信号判定部にて判定した場合に、前記報知部を制御して不急の呼び出しであることを表示させるとともに、この状態で前記識別手段検知部が前記識別手段を検知したときに前記報知部を制御して呼び出し音を出力させる親機用制御部とを備えた親機と、
を有するナースコールシステム。
【請求項２】
患者による操作によって医療従事者を不急に呼び出すためのついで呼び出し操作部と、前記ついで呼び出し操作部の操作によってついで呼び出し信号を生成する子機用制御部と、前記子機用制御部によって生成されたついで呼び出し信号を外部に出力する子機用インターフェースとを備えたナースコール子機と、
前記ついで呼び出し信号を入力する廊下灯インターフェースと、前記廊下灯インターフェースが前記ついで呼び出し信号を入力したか否かを判定する呼び出し信号判定部と、呼び出しを表示および音声にて報知する報知部と、医療従事者が携帯する識別手段の近接を検知する識別手段検知部と、前記廊下灯インターフェースがついで呼び出し信号を入力したと呼び出し信号判定部にて判定した場合に、前記報知部を制御して不急の呼び出しであることを表示させるとともに、この状態で前記識別手段検知部が前記識別手段を検知したときに前記報知部を制御して呼び出し音を出力させる廊下灯制御部とを備えた廊下灯と、
を有するナースコールシステム。
【発明の詳細な説明】
【技術分野】
【０００１】
本発明は、病院などで患者からの要求に応じて医療従事者を呼び出すナースコールシステムに関する。
【背景技術】
【０００２】
従来、ナースコールシステムでは、病室内の患者の近辺（例えば、ベッド近傍など）に設置されたナースコール子機及び看護師などの医療従事者の居る部屋などに設置されたナースコール親機を有線や無線などにより接続している。また、ナースコール子機及びナースコール親機は、廊下灯や制御機などを介して接続されている。
【０００３】
患者がナースコールシステムを用いて呼び出しを行う場合に、患者の状況に応じて様々な種類の呼び出しの種類が存在する。例えば、生命に関わるような場合などには、患者は、緊急性を要する対応を望む。一方、水が飲みたい場合や回診時間を確認したい場合などには、緊急性を必要としないことが多いので、患者は、医療従事者が立ち寄ったときのついでに対応してくれたり、呼び出しが行われてから１時間以内に対応してくれたりすることを望む。
【０００４】
しかしながら、従来のナースコールシステムでは、緊急性を要するか否かに関わらず、同様の呼び出しが行われる。これにより、全ての呼び出しに対して医療従事者が直ぐに対応すると、医療従事者が他の業務に従事することができなくなり、非効率的になってしまうという問題があった。また、患者は、医療従事者に気兼ねしてナースコールシステムによる呼び出しをすることができなくなってしまうという問題があった。
【０００５】
ところで、緊急性を要する呼び出しである緊急（通常）の呼び出しと、緊急性を要さない呼び出しである不急（ついで）の呼び出しとを区別して医療従事者を呼び出す技術が知られている（例えば、特許文献１、特許文献２など）。これらの技術では、緊急呼び出し時には、ナースコール親機のスピーカから呼び出し音を鳴らして対応する患者の表示を変化（例えば、ランプを点滅させるなど）させ、不急呼び出し時には、ナースコール親機などのスピーカから呼び出し音を鳴らさずに対応する患者の表示を変化（例えば、ランプを点灯させるなど）させるようにしている。
【特許文献１】特開２０００−４８２６７号公報
【特許文献２】特開２００５−７２８７０号公報
【０００６】
しかしながら、特許文献１および特許文献２に記載の技術では、不急呼び出しについては、対応する患者の表示を変化させるだけで、呼び出し音を鳴らさないため、医療従事者が気付かない可能性が高くなり、医療従事者が患者の不急の呼び出しに対応しないまま放置してしまうことがあった。
【発明の開示】
【発明が解決しようとする課題】
【０００７】
本発明は、このような問題を解決するために成されたものであり、患者からの不急の呼び出しを実現しつつ、患者からの不急の呼び出しが放置されないようにすることを目的とする。
【課題を解決するための手段】
【０００８】
上述した課題を解決するために、本発明では、ナースコール子機によってついで呼び出し操作部が操作された場合に、視覚に対する表示によって報知を行う報知部の近傍にＩＣタグリーダーを搭載し、医療従事者が携帯するＩＣタグがＩＣタグリーダーによって読み取られたときに、報知部から呼び出し音を出力するようにしている。
【発明の効果】
【０００９】
上記のように構成した本発明によれば、不急の呼び出しの操作が行われて視覚に対する表示によって報知が行われた状態で、ＩＣタグを携帯した医療従事者が報知部に近付くと報知部から呼び出し音が出力されるので、医療従事者は、患者からの不急の呼び出しに気付き、不急の呼び出しを行った患者を放置することがなくなる。また、医療従事者がナースコール親機の近くなどに近付いた場合にのみ呼び出し音を鳴らすので、それ以外の医療従事者は他の業務に集中することができる。従って、患者は、ついで呼び出し操作部を使用することにより遠慮せずナースコール子機を使用することができる。
【発明を実施するための最良の形態】
【００１０】
以下、本発明の一実施形態を図面に基づいて説明する。図１は、本実施形態によるナースコールシステムの構成例を示すブロック図である。図１に示すように、本実施形態によるナースコールシステムは、ナースコール子機１、ナースコール親機１０、医療従事者によって携帯されるＩＣタグ９（特許請求の範囲の識別手段に該当する）を備えて構成されている。
【００１１】
また、ナースコール子機１は、子機用制御部２、通常呼び出し操作部３、ついで呼び出し操作部４、子機用インターフェース５を備えて構成されている。また、ナースコール親機１０は、親機用制御部１１、親機用インターフェース１２、呼び出し信号判定部１３、ＩＣタグリーダー１４（特許請求の範囲の識別手段検知部に該当する）、報知部１５、復旧操作部１６を備えて構成されている。
【００１２】
図１において、ナースコール子機１は、病室内の患者の近辺（例えば、ベッド近傍など）に設置されており、伝送線を介してナースコール親機１０に接続されている。また、ナースコール親機１０は、医療従事者が在室するナースステーションなどに設置されている。ここで、ナースコール親機１０には、複数のナースコール子機１が識別可能に接続されている。
【００１３】
また、ナースコール子機１とナースコール親機１０との間に廊下灯や制御機などを設けるようにしても良い。ここで、廊下灯は、病室毎に設けられており、各部屋の出入口近傍の外側の壁面などに取り付けられており、患者からの呼び出し時に点灯したり音を鳴らしたりするなどの状態変化により呼び出しを報知する。また、制御機は、各ナースコール子機から入力した各種の信号を識別すると共に、それらの信号がどの患者からのものであるか（どのベッドからのものであるか）を特定してナースコール親機１０に送信する。
【００１４】
子機用制御部２は、ナースコール子機１の各構成要素を後述するように制御する。通常呼び出し操作部３は、患者により医療従事者を呼び出すための操作を行うもので、緊急（通常）の呼び出しの際に操作される。ここで、通常呼び出し操作部３は、ボタンなどにより構成されている。子機用制御部２は、通常呼び出し操作部３が操作されると、通常呼び出し信号を生成する。
【００１５】
ついで呼び出し操作部４は、患者により医療従事者を呼び出すための操作を行うもので、不急（ついで）の呼び出しの際に操作される。ここで、ついで呼び出し操作部４は、ボタンなどにより構成されている。また、子機用制御部２は、ついで呼び出し操作部４が操作されると、ついで呼び出し信号を生成する。
【００１６】
子機用インターフェース５は、ついで呼び出し信号および通常呼び出し信号をナースコール親機１０に出力する。また、子機用インターフェース５は、ナースコール親機１０との間で通話時の音声信号の入出力を行う。具体的には、子機用インターフェース５は、子機用制御部２により生成された通常呼び出し信号の出力後にナースコール親機１０により通話路が形成されると、患者からの音声をナースコール親機１０に出力するとともに、医療従事者からの音声をナースコール親機１０から入力する。
【００１７】
親機用制御部１１は、ナースコール親機１０の各構成要素を後述するように制御する。親機用インターフェース１２は、ナースコール子機１からついで呼び出し信号および通常呼び出し信号を入力するとともに、患者と医療従事者との通話時の音声信号を入出力する。
【００１８】
呼び出し信号判定部１３は、親機用インターフェース１２に入力した呼び出し信号がついで呼び出し信号であるか通常呼び出し信号であるかを識別する。ＩＣタグリーダー１４は、医療従事者が携帯するＩＣタグ９が近接した場合に、ＩＣタグ９から識別情報を読み取り、親機用制御部１１に出力する。親機用制御部１１では、ＩＣタグリーダー１４が読み取ったＩＣタグ９の識別情報によってナースコール親機１０に近付いた医療従事者を特定する。
【００１９】
報知部１５は、表示ディスプレイや表示灯などの表示部を備えており、患者のからの呼び出しがあった場合に、呼び出しを表示により報知する。また、報知部１５は、警報を鳴らすスピーカやベルなどの放音部を備えており、患者からの不急の呼び出しがあった後に、ナースコール親機１０に医療従事者が近付いた場合に（換言すると、医療従事者が携帯するＩＣタグ９の識別情報をＩＣタグリーダー１４が読み取った場合に）、呼び出し音を出力する。また、報知部１５の放音部は、患者からの緊急の呼び出しがあった場合に、呼び出し音を出力する。なお、本実施形態では、表示部と放音部とを報知部１５として一体的に設けているが、表示部と放音部とを別々に設けても良い。
【００２０】
ここで、緊急の呼び出しがあった場合と不急の呼び出しに対して医療従事者がナースコール親機１０に近付いた場合とで報知部１５から出力される呼び出し音を異ならせるようにしても良い。これにより、呼び出し音を聞いた医療従事者は、緊急の呼び出しであるか不急の呼び出しであるかを容易に判別することができる。復旧操作部１６は、報知部１５による呼び出しの表示による報知や呼び出し音の報知をキャンセルして元の状態に戻す操作を行うためのものであり、主に医療従事者により操作される。
【００２１】
以下、ナースコール親機１０の具体的な動作を説明する。親機用インターフェース１２に入力した呼び出し信号がついで呼び出し信号であると呼び出し信号判定部１３が判定した場合に、親機用制御部１１は、報知部１５を制御して表示による報知を行わせる。この状態で、ＩＣタグ９を携帯した医療従事者がナースコール親機１０に近付くと、ＩＣタグリーダー１４がＩＣタグ９の識別情報を読み取る。親機用制御部１１は、ナースコール親機１０に近付いた医療従事者を特定する。また、親機用制御部１１は、ナースコール親機１０の近傍に医療従事者が居ると判断し、報知部１５を制御して呼び出し音を出力させる。医療従事者は、呼び出し音を聞くとナースコール親機１０の表示を確認して不急の呼び出しを行っていた患者を確認し、復旧操作部１６を操作して呼び出し音の出力を停止させる。
【００２２】
以上詳しく説明したように、本実施形態によれば、ナースコール子機１のついで呼び出し操作部４が操作された場合に、表示による報知を行う報知部１５の近傍にＩＣタグリーダー１４を搭載し、医療従事者が携帯するＩＣタグ９がＩＣタグリーダー１４によって読み取られたときに、報知部１５から呼び出し音を出力するようにしている。これにより、不急の呼び出しの操作が行われて表示による報知が行われた状態で、ＩＣタグ９を携帯した医療従事者が報知部１５に近付くと報知部１５から呼び出し音が出力されるので、医療従事者は、患者からの不急の呼び出しに気付き、不急の呼び出しを行った患者を放置することがなくなる。また、医療従事者がナースコール親機１０に近付いた場合にのみ呼び出し音を鳴らすので、それ以外の医療従事者は他の業務に集中することができる。従って、患者は、ついで呼び出し操作部４を使用することにより遠慮せずナースコール子機１を使用することができる。
【００２３】
なお、前述した実施形態では、ＩＣタグリーダ１４、報知部１５、復旧操作部１６をナースコール親機１０に設けているが、これに限定されない。例えば、図２に示すように廊下灯２０にＩＣタグリーダ２４、報知部２５、復旧操作部２６を設けても良い。
【００２４】
図２は、本実施形態によるナースコールシステムの変形例を示すブロック図である。なお、図１に示す実施形態と同一の構成要素については、同一の符号を付し、説明を一部省略する。図２に示すように、本変形例によるナースコールシステムは、ナースコール子機１、廊下灯２０を備えて構成されている。
【００２５】
また、ナースコール子機１は、子機用制御部２、通常呼び出し操作部３、ついで呼び出し操作部４、子機用インターフェース５を備えて構成されている。また、廊下灯２０は、廊下灯制御部２１、廊下灯インターフェース２２、呼び出し信号判定部２３、ＩＣタグリーダー２４、報知部２５、復旧操作部２６を備えて構成されている。
【００２６】
図２において、廊下灯２０は、ナースコール子機１が設置された病室の出入口近傍の廊下側の壁面などに設置されている。ここで、廊下灯２０には、病室内の複数のナースコール子機１が識別可能に接続されている。また、廊下灯２０は、図示しないナースコール親機と接続されている。
【００２７】
廊下灯制御部２１は、廊下灯２０の各構成要素を後述するように制御する。廊下灯インターフェース２２は、ナースコール子機１からついで呼び出し信号および通常呼び出し信号を入力するとともに、ナースコール子機１とナースコール親機との間での患者と医療従事者との通話時の音声信号を入出力する。
【００２８】
呼び出し信号判定部２３は、廊下灯インターフェース２２に入力した呼び出し信号がついで呼び出し信号であるか通常呼び出し信号であるかを識別する。ＩＣタグリーダー２４は、医療従事者が携帯するＩＣタグ９が近接した場合に、ＩＣタグ９から識別情報を読み取り、廊下灯制御部２１に出力する。廊下灯制御部２１では、ＩＣタグリーダー２４が読み取ったＩＣタグ９の識別情報によって廊下灯２０に近付いた医療従事者を特定する。
【００２９】
報知部２５は、表示ディスプレイや表示灯などの表示部を備えており、患者のからの呼び出しがあった場合に、呼び出しを表示による報知する。また、報知部２５は、警報を鳴らすスピーカやベルなどの放音部を備えており、患者からの不急の呼び出しがあった後に、廊下灯２０に医療従事者が近付いた場合に（換言すると、医療従事者が携帯するＩＣタグ９の識別情報をＩＣタグリーダー２４が読み取った場合に）、呼び出し音を出力する。また、報知部２５の放音部は、患者からの緊急の呼び出しがあった場合に、呼び出し音を出力する。
【００３０】
ここで、緊急の呼び出しがあった場合と不急の呼び出しに対して医療従事者が廊下灯２０に近付いた場合とで報知部２５から出力される呼び出し音を異ならせるようにしても良い。これにより、呼び出し音を聞いた医療従事者は、緊急の呼び出しであるか不急の呼び出しであるかを容易に判別することができる。復旧操作部２６は、報知部２５による呼び出しの表示による報知や呼び出し音の報知をキャンセルして元の状態に戻す操作を行うためのものであり、主に医療従事者により操作される。
【００３１】
以下、廊下灯２０の具体的な動作を説明する。廊下灯インターフェース２２に入力した呼び出し信号がついで呼び出し信号であると呼び出し信号判定部２３が判定した場合に、廊下灯制御部２１は、報知部２５を制御して表示による報知を行わせる。この状態で、ＩＣタグ９を携帯した医療従事者が廊下灯２０に近付くと、ＩＣタグリーダー２４がＩＣタグ９の識別情報を読み取る。廊下灯制御部２１は、廊下灯２０に近付いた医療従事者を特定する。また、廊下灯制御部２１は、廊下灯２０の近傍に医療従事者が居ると判断し、報知部２５を制御して呼び出し音を出力させる。医療従事者は、呼び出し音を聞くと廊下灯２０の表示を確認して不急の呼び出しを行っていた患者を確認し、復旧操作部２６を操作して呼び出し音の出力を停止させる。
【００３２】
以上詳しく説明したように、本実施形態によれば、ナースコール子機１のついで呼び出し操作部４が操作された場合に、表示による報知を行う報知部２５の近傍にＩＣタグリーダー２４を搭載し、医療従事者が携帯するＩＣタグ９がＩＣタグリーダー２４によって読み取られたときに、報知部２５から呼び出し音を出力するようにしている。これにより、不急の呼び出しの操作が行われて表示による報知が行われた状態で、ＩＣタグ９を携帯した医療従事者が報知部２５に近付くと報知部２５から呼び出し音が出力されるので、医療従事者は、患者からの不急の呼び出しに気付き、不急の呼び出しを行った患者を放置することがなくなる。また、医療従事者が廊下灯２０に近付いた場合にのみ呼び出し音を鳴らすので、それ以外の医療従事者は他の業務に集中することができる。従って、患者は、ついで呼び出し操作部４を使用することにより遠慮せずナースコール子機１を使用することができる。
【００３３】
なお、前述した実施形態および変形例では、ナースコール子機１の通常呼び出し操作部３とついで呼び出し操作部４とを別々に設けているが、これに限定されない。例えば、一つの呼び出し操作部の操作の仕方（押しボタンを押し込む量や、押しボタンを押す時間、押しボタンを所定時間内に押す回数など）で緊急呼び出しと不急呼び出しとを区別するようにしても良い。また、別途設けた切替えスイッチにより、一つの呼び出し操作部を緊急呼出と不急呼び出しとに切替えるようにしても良い。
【００３４】
また、前述した実施形態では、医療従事者が携帯するＩＣタグ９をＩＣタグリーダー１４で読み取ることにより、医療従事者の近接を検知するようにしているが、これに限定されない。例えば、医療従事者に送信機を携帯させ、受信機により医療従事者の近接を検出するようにしても良い。また、ＩＣタグリーダー１４の代わりに各種センサー類を使用するようにしても良い。
【００３５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３６】
本発明は、病院などで患者が医療従事者を呼び出すナースコールシステムに有用である。
【図面の簡単な説明】
【００３７】
【図１】本実施形態によるナースコールシステムの構成例を示すブロック図である。
【図２】本実施形態によるナースコールシステムの変形例を示すブロック図である。
【符号の説明】
【００３８】
１    ナースコール子機
２    子機用制御部
３    通常呼び出し操作部
４    ついで呼び出し操作部
５    子機用インターフェース
１０    ナースコール親機
１１    親機用制御部
１２    親機用インターフェース
１３，２３    呼び出し信号判定部
１４，２４    ＩＣタグリーダー
１５，２５    報知部
１６，２６    復旧操作部
２０    廊下灯
２１    廊下灯制御部
２２    廊下灯インターフェース
【図１】
2008092056.tif 000003
【図２】
2008092056.tif 000004